(57)【要約】      （修正有）【課題】施術体がハンドルに対して着脱自在な美容器の製造を比較的容易にするための技術を提供する。【解決手段】ソケット１５０は、施術体１２０をハンドルに対して取り付けるための部材である。ソケット１５０は、施術体１２０に配置され、ハンドルに取り付けられた軸受１４０に着脱可能に取り付けられるよう構成されている。ソケット１５０により、軸受１４０と係合するための係合構造を施術体１２０の内部に形成する必要がなく、施術体１２０ひいては美容器１００の製造が比較的容易となる。【選択図】図５
2020048710.tif 000002
【特許請求の範囲】
【請求項１】
回転体をハンドルに対して取り付けるための美容器のソケットであって、
前記回転体および前記ハンドルの一方に配置され、
前記回転体および前記ハンドルの他方に取り付けられた軸受が着脱可能に取り付けられるよう構成されていることを特徴とするソケット。
【請求項２】
前記軸受と係合可能な弾性爪を備えることを特徴とする請求項１に記載のソケット。
【請求項３】
本ソケットはさらに、前記回転体および前記ハンドルの前記一方に取り外し可能に係合されるよう構成されていることを特徴とする請求項１または２に記載のソケット。
【請求項４】
前記回転体および前記ハンドルの前記一方と係合可能な別の弾性爪を備えることを特徴とする請求項３に記載のソケット。
【発明の詳細な説明】
【技術分野】
【０００１】
本発明は、美容器、特に施術体が着脱自在な美容器に関する。
【背景技術】
【０００２】
回転体である施術体を肌にあてて転がす美容器が知られている。顔に使用すると、あご周りのフェイスラインが引き締まり、リフトアップ効果が実感できる。複数の施術体が肌を摘み上げるタイプのものはマッサージ効果もあり、使っているだけでも気持ちがよい。より積極的に、リンパマッサージの要領で使えば、老廃物の排出が促進され、新陳代謝が上がり、肌艶を改善できる。脚に使えばむくみやセルライトもとれやすくなる。
【先行技術文献】
【特許文献】
【０００３】
【特許文献１】特開２０１３−１０３０８５号公報
【発明の概要】
【発明が解決しようとする課題】
【０００４】
本発明者は、施術体がハンドルに対して着脱自在な美容器を検討している。本発明者は、このような検討の過程で、美容器の製造を比較的容易にする技術を模索し、本発明に想到した。
【０００５】
本発明はこうした状況に鑑みてなされたものであり、そのある態様の例示的な目的のひとつは、美容器の製造を比較的容易にするための技術を提供することにある。
【課題を解決するための手段】
【０００６】
上記課題を解決するために、本発明のある態様のソケットは、回転体をハンドルに対して取り付けるための美容器のソケットであって、回転体およびハンドルの一方に配置され、回転体およびハンドルの他方に取り付けられた軸受が着脱可能に取り付けられるよう構成されている。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、美容器の製造を比較的容易にするための技術を提供できる。
【図面の簡単な説明】
【０００９】
【図１】第１の実施の形態に係る美容器の斜視図である。
【図２】図１の美容器の上面図である。
【図３】図１の美容器の側面図である。
【図４】図１の美容器の底面図である。
【図５】図２のＡ−Ａ線断面図である。
【図６】図５のソケットの斜視図である。
【図７】第２の実施の形態に係る美容器の施術体とその周辺を示す断面図である。
【図８】第３の実施の形態に係る美容器の施術体とその周辺を示す断面図である。
【図９】第４の実施の形態に係る美容器の施術体とその周辺を示す断面図である。
【図１０】変形例に係る美容器の正面図である。
【発明を実施するための形態】
【００１０】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（第１の実施の形態）
図１〜４は、第１の実施の形態に係る美容器１００の外観図である。図１は美容器１００の斜視図であり、図２は美容器１００の上面図であり、図３は美容器１００の側面図であり、図４は美容器１００の底面図である。美容器１００は、ハンドル１１０と、一対の施術体１２０と、を備える。ハンドル１１０は、使用者が把持するためのハンドル本体１１１と、ハンドル本体１１１の長手方向の一端側に設けられる２本の枝部１１２と、含む。２本の枝部１１２は、ハンドル本体１１１から離れるほど互いの間隔が広くなるように延びる。各枝部１１２の先端側には、施術体１２０が設けられている。
【００１２】
施術体１２０は、外形が球状であり、表面に多数の三角形の面を有する。なお、施術体１２０は、形状は特には限定されず、外形が円柱状、円錐台状、その他の形状であってもよい。施術体１２０は、炭素を含む材料により形成された炭素成形体であってもよい。この場合、施術体１２０の熱伝導率および放射率は高く、したがって施術体１２０は美容器１００の使用開始から短時間で肌と同程度の温度に温められ、施術体１２０からの遠赤外線の放射量が増える。施術体１２０から肌に遠赤外線が放射されると、肌の血流およびリンパ液の循環が促進される。
【００１３】
図５は、図２のＡ−Ａ線断面図である。美容器１００はさらに、支持軸１３０と、軸受１４０と、ソケット１５０と、を備える。支持軸１３０は、棒状の部材であり、導電性の材料、例えば金属材料により形成される。支持軸１３０の基端側は枝部１１２（図５では不図示）に保持される。支持軸１３０の先端側には、抜けが防止された状態に、軸受１４０が外嵌される。軸受１４０は、導電性の材料、例えば導電性樹脂によって形成される。なお、軸受１４０は、導電性樹脂に代えて、例えば非導電性樹脂によって形成され、その全面に金属メッキが施されてもよい。
【００１４】
施術体１２０には、円柱状の非貫通穴である挿通穴１２１が形成されている。なお、挿通穴１２１は貫通穴であってもよい。施術体１２０には、外表面に加えて外表面から挿通穴１２１の周面１２１ａに回り込むように、金属メッキが施されている。
【００１５】
ソケット１５０は、施術体１２０の挿通穴１２１に挿入され、そこで後述のようにして着脱自在に施術体１２０に固定される。ソケット１５０は、例えば樹脂材料により、円筒状に形成されている。支持軸１３０に外嵌した軸受１４０は、ソケット１５０に挿入されて、そこで後述のようにして着脱（交換）自在にソケット１５０に取り付けられる。
【００１６】
図６はソケット１５０の斜視図である。図５に加えて図６を参照する。ソケット１５０は、円筒状のソケット本体１５２と、３つのストッパ部材１５４と、３つのロック部材１５６と、３つのコンタクト部材１５８と、を含む。ストッパ部材１５４、ロック部材１５６およびコンタクト部材１５８は、導電性部材、例えば金属材料により形成される。なお、ストッパ部材１５４、ロック部材１５６およびコンタクト部材１５８の数は特に限定されない。
【００１７】
ストッパ部材１５４は、ソケット本体１５２に、周方向に等間隔（すなわち１２０度間隔）に固定されている。ストッパ部材１５４は、ソケット本体１５２に、図示のように固定孔に嵌合されることで固定されても、接着により固定されても、その他の方法により固定されてもよい。
【００１８】
ソケット１５０は、第１係合構造１６０により、施術体１２０の挿通穴１２１に係合される。本実施の形態の第１係合構造１６０は、スナップフィット構造であり、ストッパ部材１５４の第１弾性爪１５４ａと、施術体１２０の挿通穴１２１の周面１２１ａに形成された、径方向内側に突出する環状の突起１２１ｂと、を含む。
【００１９】
第１弾性爪１５４ａは、例えば板バネにより構成され、概ねソケット本体１５２の軸方向に沿って延在する。第１弾性爪１５４ａは、ソケット本体１５２の径方向外側に突出する第１傾斜部１５４ｂおよび第２傾斜部１５４ｃを含む。第１傾斜部１５４ｂは、枝部１１２側ほどソケット本体１５２の中心軸Ｃから離れるように傾斜する。第２傾斜部１５４ｃは、第１傾斜部１５４ｂの枝部１１２側に連続し、枝部１１２側ほど中心軸に近づくように傾斜する。
【００２０】
施術体１２０の挿通穴１２１にソケット１５０を差し込むとき、第１傾斜部１５４ｂと突起１２１ｂとの接触により、第１傾斜部１５４ｂと第２傾斜部１５４ｃとの境界部分１５４ｄが中心軸Ｃに近づくように第１弾性爪１５４ａが弾性的に撓み変形する。ソケット１５０の差し込み量が大きくなって境界部分１５４ｄが突起１２１ｂを越えると、第１弾性爪１５４ａは境界部分１５４ｄが中心軸Ｃから離れるように復元し、第２傾斜部１５４ｃが突起１２１ｂに係合される。これにより、ソケット１５０の抜けが規制される。
【００２１】
所定の大きさ以上の力でソケット１５０を引き抜くと、第２傾斜部１５４ｃと突起１２１ｂとの接触により、境界部分１５４ｄが中心軸Ｃに近づくように第１弾性爪１５４ａが弾性的に撓み変形し、第２傾斜部１５４ｃと突起１２１ｂとの係合が解除され、ソケット１５０が引き抜かれる。
【００２２】
第１係合構造１６０は、好ましくは、ソケット１５０を挿通穴１２１に差し込んでソケット１５０を挿通穴１２１の突起１２１ｂに係合させるのに必要な力よりも、ソケット１５０を引っ張ってソケット１５０と挿通穴１２１の突起１２１ｂとの係合を解除させるのに必要な力の方が大きくなるように構成される。一例としては、中心軸Ｃに対する第１傾斜部１５４ｂの傾斜よりも、中心軸Ｃに対する第２傾斜部１５４ｃの傾斜を大きくすることで、これが実現される。
【００２３】
ロック部材１５６とコンタクト部材１５８とは一体化されている。ロック部材１５６およびコンタクト部材１５８は、ソケット本体１５２に、ストッパ部材１５４から周方向に６０度ずれるように、周方向に等間隔に固定されている。これらは、ストッパ部材１５４に、図示のように固定孔に嵌合されることで固定されても、接着により固定されても、その他の方法により固定されてもよい。
【００２４】
支持軸１３０に外嵌した状態の軸受１４０は、第２係合構造１７０により、ソケット１５０に係合される。ロック部材１５６の第２弾性爪１５６ａと、軸受１４０の外周面１４０ａに形成された径方向内側に凹んだ環状の凹部１４０ｂと、を含む。
【００２５】
第２弾性爪１５６ａは、例えば板バネにより構成される。第２弾性爪１５６ａは、ソケット本体１５２の径方向内側に突出する第１傾斜部１５６ｂおよび第２傾斜部１５６ｃを含む。第１傾斜部１５６ｂは、先端側ほどソケット本体１５２の中心軸Ｃに近づくように傾斜する。第２傾斜部１５６ｃは、第１傾斜部１５６ｂの先端側に連続し、先端側ほど中心軸Ｃから離れるように傾斜する。
【００２６】
ソケット１５０に軸受１４０を差し込むとき、第１傾斜部１５６ｂと軸受１４０の外周面１４０ａとの接触により、第１傾斜部１５６ｂと第２傾斜部１５６ｃとの境界部分１５６ｄが中心軸Ｃから離れるように第２弾性爪１５６ａ弾性的に撓み変形する。軸受１４０の差し込み量が大きくなって境界部分１５６ｄが凹部１４０ｂに到達すると、第２弾性爪１５６ａは境界部分１５６ｄが中心軸Ｃに近づくように復元し、第１傾斜部１５６ｂおよび第２傾斜部１５６ｃが凹部１４０ｂに進入し、第２傾斜部１５６ｃが凹部１４０ｂに係合される。これにより、軸受１４０の抜けが規制される。
【００２７】
所定の大きさ以上の引抜力で軸受１４０を引き抜く（すなわちハンドル１０を引っ張る）と、第２傾斜部１５６ｃと凹部１４０ｂとの接触により、境界部分１５６ｄが中心軸Ｃから離れるように第２弾性爪１５６ａが弾性的に撓み変形し、第２傾斜部１５６ｃと凹部１４０ｂとの係合が解除され、軸受１４０が引き抜かれる。
【００２８】
第２係合構造１７０は、好ましくは、軸受１４０をソケット１５０に差し込んで軸受１４０をソケット１５０に係合させるのに必要な力よりも、軸受１４０を引っ張って軸受１４０とソケット１５０との係合を解除させるのに必要な力の方が大きくなるように構成される。一例としては、中心軸Ｃに対する第１傾斜部１５６ｂの傾斜よりも、中心軸Ｃに対する第２傾斜部１５６ｃの傾斜を大きくすることで、これが実現される。
【００２９】
また、第１係合構造１６０および第２係合構造１７０は、好ましくは、ソケット１５０を引っ張ってソケット１５０と挿通穴１２１の突起１２１ｂとの係合を解除させるのに必要な力よりも、軸受１４０を引っ張って軸受１４０とソケット１５０との係合を解除させるのに必要な力の方が大きくなるように構成される。これにより、施術体１２０をハンドル１０から取り外そうとして施術体１２０を引っ張ったときに、ソケット１５０が施術体１２０から外れてしまうのを抑止できる。一例としては、第１弾性爪１５４ａの第２傾斜部１５４ｃの傾斜、第２弾性爪１５６ａの第２傾斜部１５６ｃの傾斜、挿通穴１２１に形成された突起１２１ｂの形状、軸受１４０に形成された凹部１４０ｂの形状、などを適宜調整することにより、これが実現される。
【００３０】
コンタクト部材１５８は、例えば板バネにより構成される。コンタクト部材１５８の一端側は、ロック部材１５６に接続されている。コンタクト部材１５８の他端は、ソケット本体１５２の径方向外側に突出している。軸受１４０がソケット１５０に取り付けられた状態では、すなわち軸受１４０が施術体１２０の挿通穴１２１に差し込まれた状態では、コンタクト部材１５８は自身の弾性によって施術体１２０の挿通穴１２１の周面１２１ａに圧接されている。また、ロック部材１５６は自身の弾性によって軸受１４０の凹部１４０ｂの周面に圧接されている。したがって、支持軸１３０、軸受１４０、ロック部材１５６、コンタクト部材１５８、施術体１２０は直列に電気的に接続されている。
【００３１】
ハンドル１０内には不図示の電源が設けられており、そのプラス端子、マイナス端子はそれぞれ、支持軸１３０、ハンドル１１０に電気的に接続されている。したがって、施術体１２０が人体に触れると、電源、支持軸１３０、軸受１４０、ロック部材１５６、コンタクト部材１５８、施術体１２０、人体、ハンドル１１０を含む閉回路が形成され、人体に微弱電流が流れる。なお、施術体１２０に供給される電流は、例えば施術体１２０を温めるヒータなど、他の用途に使用されてもよい。
【００３２】
以上で説明したように、美容器１００では、施術体１２０をハンドル１１０に対して着脱できる。これにより、施術体１２０が破損等した場合に交換できる。また、異なる形状の施術体１２０を使用したい場合に交換できる。したがって、美容器に本発明を適用することで、商品価値を高めることができる。
【００３３】
また、美容器１００では、ソケット１５０と軸受１４０との間で着脱され、軸受１４０には外周面１４０ａにソケット１５０と係合する係合部（上述の例では凹部１４０ｂ）を設ければよく、すなわちハンドル１１０に対して施術体１２０を着脱自在とするにあたり支持軸１３０と軸受１４０との間には影響がなく、したがって、支持軸１３０と軸受１４０との間の設計については、安定した回転を実現している従来品の技術を踏襲できる。
【００３４】
また、美容器１００では、軸受１４０と係合するための係合構造を施術体１２０の内部に形成する必要がなく、施術体１２０ひいては美容器１００の製造が比較的容易となる。
【００３５】
（第２の実施の形態）
図７は、第２の実施の形態に係る美容器２００の施術体２２０とその周辺を示す断面図である。図７は、第１の実施の形態の図５に対応する。第１の実施の形態との主な相違点は、軸受が施術体に固定され、軸受と支持軸との間で着脱される点である。
【００３６】
美容器２００は、ハンドル１１０と、一対の施術体２２０と、支持軸２３０と、軸受２４０と、を備える。施術体２２０は、形状は特には限定されないが、図示の例では外形が球状である。施術体２２０には、円柱状の非貫通穴である挿通穴２２１が形成されている。なお、挿通穴２２１は貫通穴であってもよい。
【００３７】
軸受２４０は、施術体２２０の挿通穴２２１に挿入され、そこで施術体２２０に固定される。軸受２４０は、ハウジング２４１と、複数のボール（転動体）２４２と、外輪２４４と、付勢部材２４５と、を含む。
【００３８】
ハウジング２４１は、略カップ状の所定の形状に形成される。複数のボール２４２は、ハウジング２４１の内周面に形成された、径方向外側に凹んだ環状の凹部２４１ａ内に周方向に並ぶように配置される。複数のボール２４２は、不図示のリテーナにより、相対位置が保持されるとともに回転自在に支持される。外輪２４４は、複数のボール２４２を環囲する。なお、軸受２４０は専用の内輪を有しておらず、支持軸２３０の外周面２３０ａが内輪を兼用する。付勢部材２４５は、例えば板バネであり、軸を環囲するように設けられ、複数のボール２４２を径方向内側に押し付ける。
【００３９】
支持軸２３０の先端側は、軸受２４０に挿入される。支持軸２３０の先端側の外周面２３０ａには、径方向内側に凹んだ環状の凹部２３０ｂが形成されており、付勢部材２４５によって径方向内側に押し付けられている複数のボール２４２がこの凹部２３０ｂに係合することで、支持軸２３０ひいてはハンドル１１０に対して、軸受２４０ひいては施術体２２０が取り付けられる。例えば施術体２２０を引っ張ることにより所定の大きさ以上の引抜力で施術体２２０から支持軸２３０を相対的に引き抜くと、凹部２３０ｂの周面で複数のボール２４２が径方向外側に押し戻され、複数のボール２４２が凹部２３０ｂから離脱し（すなわち係合が解除され）、支持軸２３０が引き抜かれる。
【００４０】
つまり本実施の形態の軸受２４０は、回転自在、かつ、着脱自在に支持軸２３０を保持する。
【００４１】
本実施の形態に係る美容器２００によると、第１の実施の形態に係る美容器１００によって奏される作用効果と同様の作用効果が奏される。
【００４２】
（第３の実施の形態）
図８は、第３の実施の形態に係る美容器３００の施術体３２０とその周辺を示す断面図である。図８は、第１の実施の形態の図５に対応する。第３の実施の形態では、軸受が施術体に固定され、当該軸受に抜けが防止された状態に軸が挿入される。すなわち施術体に軸受と軸が取り付けられる。そして、施術体に取り付けられた軸が着脱自在にハンドルに取り付けられる。以下、第１の実施の形態に係る美容器との相違点を中心に説明する。
【００４３】
美容器３００は、ハンドル１１０と、一対の施術体３２０と、支持軸３３０と、軸受３４０と、支持軸ホルダ（ソケット）３５０と、を備える。
【００４４】
施術体３２０には、非貫通穴である挿通穴３２１が形成されている。挿通穴３２１は、いずれも円柱状である、小径部３２１ａと、小径部３２１ａの枝部１１２側に連続し、小径部３２１ａよりも大径の大径部３２１ｂと、を含む。なお、挿通穴３２１は貫通穴であってもよい。すなわち、小径部３２１ａの枝部１１２とは反対側が開口してもよい。
【００４５】
軸受３４０は、円筒部３４０ａと、フランジ部３４０ｂと、を含む。軸受３４０は、円筒部３４０ａが小径部３２１ａに挿入され、フランジ部３４０ｂが小径部３２１ａと大径部３２１ｂとの段差で係止された状態で、挿通穴３２１に固定される。軸受３４０の円筒部３４０ａには、抜けが防止された状態に支持軸３３０が挿入され、そこで回転可能に支持される。
【００４６】
支持軸ホルダ３５０は、本体部３５１と、ボール３５２と、付勢部材３５３と、を含む。本体部３５１は、円筒部３５１ａと底部３５１ｂとが一体に形成された有底カップ形状を有し、その底部３５１ｂを枝部１１２側にして、枝部１１２の支持筒１１４に固定される。ボール３５２は、本体部３５１の円筒部３５１ａを径方向に貫通する収容穴３５１ｃに、その一部が円筒部３５１ａの内側に突出するように収容される。付勢部材３５３は、例えばＣリングであり、ボール３５２を径方向内側に押し付ける。
【００４７】
支持軸ホルダ３５０には、支持軸３３０の基端側が挿入される。支持軸３３０の基端側には、径方向内側に凹んだ環状の凹部３３０ａが形成されており、この凹部３３０ａにボール３５２が係合することで、支持軸３３０ひいては施術体３２０がハンドル１１０に対して取り付けられる。例えば施術体３２０を引っ張ることにより所定の大きさ以上の引抜力で施術体３２０から支持軸３３０を相対的に引き抜くと、凹部３３０ａの周面でボール３５２が径方向外側に押し戻され、ボール３５２が凹部３３０ａから離脱し（すなわち係合が解除され）、支持軸３３０が引き抜かれる。
【００４８】
本実施の形態に係る美容器３００によると、第１の実施の形態に係る美容器１００によって奏される作用効果と同様の作用効果が奏される。
【００４９】
（第４の実施の形態）
図９は、第４の実施の形態に係る美容器４００の施術体４２０とその周辺を示す断面図である。図９は、第１の実施の形態の図５に対応する。第４の実施の形態では、磁力により施術体がハンドルに対して着脱自在に取り付けられる。
【００５０】
美容器４００は、ハンドル１１０と、一対の施術体４２０と、支持軸４３０と、軸受４４０と、磁石４５０と、ヨーク４５２と、磁性体４９０と、を備える。施術体４２０は、形状は特には限定されないが、図示の例では外形が球状である。施術体４２０には、円柱状の非貫通穴である挿通穴４２１が形成されている。
【００５１】
支持軸４３０は基端側が枝部１１２に保持される。支持軸４３０には軸受４４０が外嵌される。磁石４５０は、円筒状であり、軸受４４０の先端側を環囲して軸受４４０に固定される。ヨーク４５２は、磁石４５０および軸受４４０を環囲してそれらに固定される。施術体４２０には、挿通穴４２１の底面４２１ｃまたはその近傍に、磁性体４９０が埋め込まれている。
【００５２】
つまり、支持軸４３０、軸受４４０、磁石４５０およびヨーク４５２が枝部１１２ひいてはハンドル１０と一体となっており、磁性体４９０が施術体４２０と一体になっている。そして施術体４２０は、磁石４５０と磁性体４９０との間に生じる吸引力により、ハンドル１０に対して着脱可能に取り付けられる。
【００５３】
本実施の形態に係る美容器４００によると、第１の実施の形態に係る美容器１００によって奏される作用効果と同様の作用効果が奏される。
【００５４】
以上、本発明について実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。以下変形例を示す。
【００５５】
（変形例１）
実施の形態では、美容器が施術体を２つ備える場合について説明したが、これに限られず、施術体を１つまたは３つ以上備えてもよい。
【００５６】
（変形例２）
第１の実施の形態では、施術体１２０に着脱自在に取り付けられたソケット１５０に、ハンドル１０に対して取り付けられた軸受１４０が着脱自在に取り付けられる場合について説明したが、これに限られない。施術体１２０に支持軸１３０が固定され、施術体１２０から突出した支持軸１３０の基端側に抜けが防止された状態に軸受１４０が外嵌されてもよい。すなわち施術体１２０に対して軸受１４０が取り付けられてもよい。そして、ハンドル１１０にソケット１５０が着脱自在に取り付けられ、当該ソケット１５０に、施術体１２０に対して取り付けられた軸受１４０が着脱自在に取り付けられてもよい。
【００５７】
（変形例３）
第２の実施の形態では、施術体に取り付けられた軸受が、ハンドルに取り付けられた支持軸を回転自在、かつ、着脱自在に保持する場合について説明したが、これに限られず、ハンドルに軸受が取り付けられ、当該軸受が、施術体に取り付けられた支持軸を回転自在、かつ、着脱自在に保持してもよい。
【００５８】
（変形例４）
実施の形態では、施術体が回転体であり、ハンドルに対して回転自在に支持される場合について説明したが、これに限られず、施術体は非回転体あり、ハンドルに対して回転不可能に支持されてもよい。
【００５９】
具体的には例えば、図５の例において、美容器１００が軸受１４０を備えず、すなわち支持軸１３０に軸受１４０は外嵌されず、支持軸１３０の外周面に径方向内側に凹む環状の凹部が形成され、この凹部にロック部材１５６の第２弾性爪１５６ａが係合することにより施術体１２０がハンドル１１０に取り付けられてもよい。
【００６０】
また例えば、図９の例において、美容器４００が軸受４４０を備えず、すなわち支持軸４３０に軸受４４０は外嵌されず、磁石４５０が支持軸４３０の外周面を環囲して支持軸４３０に固定されてもよい。
【００６１】
（変形例５）
図１０は、変形例に係る美容器５００の正面図である。美容器５００は、ハンドル１１０と、一対の施術体５２０と、を備える。一対の施術体５２０は、着脱自在にハンドル１１０に支持される。施術体５２０の外形は、回転軸を中心軸とする円錐台状である。実施の形態では特に言及しなかったが、一対の施術体が球状の場合、一対の施術体を肌に押し当てながらハンドル１１０を動かすと一対の施術体の間で肌が摘み上げられたり押し広げられたりする。これに対し本変形例では、施術体５２０は円錐台形状であるため、球状の場合に比べて肌との接触面積が大きくなり、肌の広い範囲が押し流されるような体感が得られる。このように、施術体を異なる形状のものに交換することで、異なる体感を得られる。また、円錐台形状である施術体５２０について、テーパ角αが異なるものを複数対用意してもよい。施術体５２０のテーパ角αが異なれば、一対の施術体５２０の間の開き角βも異なる。開き角βは、各施術体５２０の中心軸を通る平面で一対の施術体５２０を切断した切断面において、施術体５２０の側面がなす鋭角である。テーパ角αが大きくなれば、開き角βは小さくなり、テーパ角αが小さくなれば、開き角βは大きくなる。したがって、施術体５２０をテーパ角αが異なるものに交換することで、異なる体感を得ることができる。
【００６２】
またハンドル１１０は、摘み上げ（ニーディング）に最も適した角度で球状の施術体が取り付けられるように構成されている。このため、押し流す（エルフラ−ジュ）手技を再現するために、施術体を外形が円柱状のものに交換しても、施術体の間隔が狭すぎて押し流す手技を再現できない。これに対し、施術体の外形を円錐台状（すなわち先細）にして先端側ほど施術体の間隔が広くなるようにすることで、摘み上げに最も適したハンドル１１０でも、施術体を取り替えるだけで、押し流す手技を再現することができる。
【００６３】
上述した実施の形態と変形例の任意の組み合わせもまた本発明の実施の形態として有用である。組み合わせによって生じる新たな実施の形態は、組み合わされる実施の形態および変形例それぞれの効果をあわせもつ。
【符号の説明】
【００６４】
１００  美容器、  １１０  ハンドル、  １２０  施術体、  １５０  ソケット。
【図１】
2020048710.tif 000003
【図２】
2020048710.tif 000004
【図３】
2020048710.tif 000005
【図４】
2020048710.tif 000006
【図５】
2020048710.tif 000007
【図６】
2020048710.tif 000008
【図７】
2020048710.tif 000009
【図８】
2020048710.tif 000010
【図９】
2020048710.tif 000011
【図１０】
2020048710.tif 000012